(57)【特許請求の範囲】
【請求項１】
装置本体に形成された投入排出口を通じて紙葉類が投入された場合に、該装置本体の内部に形成された搬送路を通じて前記紙葉類を搬送して所定の収納部に収納する一方、出金指令が与えられた場合には、該当する収納部から送出された紙葉類を、前記搬送路を通じて搬送して前記投入排出口より排出させる紙葉類処理装置であって、
前記投入排出口を通じて紙葉類が内部に投入されることを許容するとともに、内部の紙葉類が前記投入排出口を通じて取り出されることを許容する待機姿勢と、
内部の紙葉類が繰出手段により前記搬送路に繰り出させる繰出姿勢と、
前記搬送路を通じて搬送された紙葉類を受容する受容姿勢と
のいずれかの姿勢となる態様で前記装置本体の内部に揺動可能に設けられた入金庫を備え、
前記入金庫は、内部が第１領域と第２領域とに区画部材により区画されて構成されており、
前記待機姿勢は、前記投入排出口を通じて紙葉類が前記第１領域に投入されることを許容するとともに、前記第１領域に受容した紙葉類を、前記投入排出口を通じて取り出されることを許容する第１待機姿勢と、前記第２領域に受容した紙葉類を、前記投入排出口を通じて取り出されることを許容する第２待機姿勢とを有し、
前記繰出姿勢は、前記第１領域に受容した紙葉類が前記繰出手段により前記搬送路に繰り出されることを許容するものであり、
前記受容姿勢は、前記出金指令により所定の収納部から送出されて前記搬送路を通じて搬送された紙葉類を前記第１領域に受容する第１受容姿勢と、前記繰出姿勢にて前記搬送路に一旦繰り出された紙葉類が返却される場合に、該搬送路を通じて搬送された紙葉類を前記第２領域に受容する第２受容姿勢とを有することを特徴とする紙葉類処理装置。
【請求項２】
前記区画部材は、前記入金庫が前記繰出姿勢となる場合に、前記第１領域に受容された紙葉類を前記繰出手段に押圧する押圧部材を備えたことを特徴とする請求項１に記載の紙葉類処理装置。
【請求項３】
前記投入排出口は、前記装置本体において前方に向かうに連れて漸次下方に傾斜する傾斜面に形成されていることを特徴とする請求項１又は請求項２に記載の紙葉類処理装置。
【請求項４】
前記投入排出口を開閉する態様で前記装置本体に揺動可能に設けられ、かつ前記投入排出口を閉塞する場合に前記第１待機姿勢となる入金庫の内部に侵入する突部が内面に形成された蓋体を備えたことを特徴とする請求項１〜３のいずれか１つに記載の紙葉類処理装置。
【発明の詳細な説明】
【技術分野】
【０００１】
本発明は、紙葉類処理装置に関し、より詳細には、例えば紙幣釣銭機として適用される紙葉類処理装置に関するものである。
【背景技術】
【０００２】
従来、例えば紙幣釣銭機として適用される紙葉類処理装置においては、投入口より投入された紙幣（紙葉類）を所定の搬送路に搬送させるようにしている。そして、搬送路を搬送される紙幣の真偽を鑑別手段にて鑑別している。この紙葉類処理装置では、上記鑑別手段により「真」と鑑別された紙幣を搬送路から分離させて所定の収納部に収納するものである。また紙葉類処理装置は、出金指令が与えられた場合には、所定の収納部から送出された紙幣を、上記搬送路を通じて搬送し、排出口より排出させている（例えば、特許文献１参照）。
【先行技術文献】
【特許文献】
【０００３】
【特許文献１】特開２０１１−６５４１７号公報
【発明の概要】
【発明が解決しようとする課題】
【０００４】
ところで、上述した紙葉類処理装置では、紙幣の投入口と排出口とが別個に設けてあるので、投入口より投入された紙幣を所定の収納部に搬送する搬送路と、所定の収納部から送出された紙幣を排出口まで搬送する搬送路との一部を共通化させることができても、投入口近傍及び排出口近傍では個別の搬送路を必要とする。また、鑑別手段により「偽」と鑑別された紙幣を排出口まで搬送する別個の搬送路も必要とし、結果的に、搬送路の構成が複雑化してしまい、装置全体の小型化を阻害する虞れがあった。
【０００５】
本発明は、上記実情に鑑みて、装置全体の小型化を図ることができる紙葉類処理装置を提供することを目的とする。
【課題を解決するための手段】
【０００６】
上記目的を達成するために、本発明に係る紙葉類処理装置は、装置本体に形成された投入排出口を通じて紙葉類が投入された場合に、該装置本体の内部に形成された搬送路を通じて前記紙葉類を搬送して所定の収納部に収納する一方、出金指令が与えられた場合には、該当する収納部から送出された紙葉類を、前記搬送路を通じて搬送して前記投入排出口より排出させる紙葉類処理装置であって、前記投入排出口を通じて紙葉類が内部に投入されることを許容するとともに、内部の紙葉類が前記投入排出口を通じて取り出されることを許容する待機姿勢と、内部の紙葉類が繰出手段により前記搬送路に繰り出させる繰出姿勢と、前記搬送路を通じて搬送された紙葉類を受容する受容姿勢とのいずれかの姿勢となる態様で前記装置本体の内部に揺動可能に設けられた入金庫を備えたことを特徴とする。
【０００７】
また本発明は、上記紙葉類処理装置において、前記入金庫は、内部が第１領域と第２領域とに区画部材により区画されて構成されており、前記待機姿勢は、前記投入排出口を通じて紙葉類が前記第１領域に投入されることを許容するとともに、前記第１領域に受容した紙葉類を、前記投入排出口を通じて取り出されることを許容する第１待機姿勢と、前記第２領域に受容した紙葉類を、前記投入排出口を通じて取り出されることを許容する第２待機姿勢とを有し、前記繰出姿勢は、前記第１領域に受容した紙葉類が前記繰出手段により前記搬送路に繰り出されることを許容するものであり、前記受容姿勢は、前記出金指令により所定の収納部から送出されて前記搬送路を通じて搬送された紙葉類を前記第１領域に受容する第１受容姿勢と、前記繰出姿勢にて前記搬送路に一旦繰り出された紙葉類が返却される場合に、該搬送路を通じて搬送された紙葉類を前記第２領域に受容する第２受容姿勢とを有することを特徴とする。
【０００８】
また本発明は、上記紙葉類処理装置において、前記区画部材は、前記入金庫が前記繰出姿勢となる場合に、前記第１領域に受容された紙葉類を前記繰出手段に押圧する押圧部材を備えたことを特徴とする。
【０００９】
また本発明は、上記紙葉類処理装置において、前記投入排出口は、前記装置本体において前方に向かうに連れて漸次下方に傾斜する傾斜面に形成されていることを特徴とする。
【００１０】
また本発明は、上記紙葉類処理装置において、前記投入排出口を開閉する態様で前記装置本体に揺動可能に設けられ、かつ前記投入排出口を閉塞する場合に前記第１待機姿勢となる入金庫の内部に侵入する突部が内面に形成された蓋体を備えたことを特徴とする。
【発明の効果】
【００１１】
本発明によれば、入金庫が、投入排出口を通じて紙葉類が内部に投入されることを許容するとともに、内部の紙葉類が投入排出口を通じて取り出されることを許容する待機姿勢と、内部の紙葉類が繰出手段により搬送路に繰り出させる繰出姿勢と、搬送路を通じて搬送された紙葉類を受容する受容姿勢とのいずれかの姿勢となる態様で装置本体の内部に揺動可能に設けられているので、投入排出口を通じて投入された紙葉類を収納部に収納する処理、並びに収納部に収納された紙葉類を排出する処理を行う場合に、入金庫の姿勢を変化させるだけでよく、搬送路を共通化して利用することができる。従って、別個の搬送路を複数設けて搬送路を複雑化する虞れがなく、搬送路の単純化を実現できる。従って、装置全体の小型化を図ることができるという効果を奏する。
【図面の簡単な説明】
【００１２】
【図１】図１は、本発明の実施の形態である紙葉類処理装置を模式的に示す右側面図である。
【図２】図２は、図１に示した入出金部を示す斜視図である。
【図３】図３は、図１に示した入出金部の一部の構成要素を分解した分解斜視図である。
【図４】図４は、入出金部の内部構造を右側から見た断面右側面図である。
【図５】図５は、入出金部の内部構造を右側から見た断面右側面図である。
【図６】図６は、入出金部の内部構造を右側から見た断面右側面図である。
【図７】図７は、入出金部の内部構造を右側から見た断面右側面図である。
【図８】図８は、入出金部の内部構造を右側から見た断面右側面図である。
【図９】図９は、入出金部の内部構造を右側から見た断面右側面図である。
【発明を実施するための形態】
【００１３】
以下に添付図面を参照して、本発明に係る紙葉類処理装置の好適な実施の形態について詳細に説明する。
【００１４】
図１は、本発明の実施の形態である紙葉類処理装置を模式的に示す右側面図である。ここで例示する紙葉類処理装置は、例えば紙幣釣銭機として適用されるものであり、装置本体１を備えている。
【００１５】
装置本体１は、上面に開口１ａが形成された箱状の形態を成しており、該開口１ａはカバー２により開閉される。カバー２は、後端部が装置本体１に軸支されており、前端部が自由端として上下方向に沿って揺動可能なものである。
【００１６】
このような装置本体１には、投入排出口３、搬送路４、入出金部１０、鑑別部（鑑別手段）３１、判別部３３及び収納部３４が設けてある。
【００１７】
投入排出口３は、紙幣（紙葉類）の投入及び排出を兼用する開口であり、装置本体１の前端傾斜面１ｂに形成してある。ここで前端傾斜面１ｂは、前方に向かうに連れて漸次下方に傾斜している。このような投入排出口３は、装置本体１に揺動可能に設けられた後述する蓋体５により開閉される。
【００１８】
搬送路４は、装置本体１の内部における上記開口１ａの近傍において前後方向に沿って延在している。この搬送路４は、図には明示しないが、前後一対の搬送プーリに張設された左右一対の搬送ベルトにより構成されており、紙幣を前方から後方に向けて搬送するとともに、紙幣を後方から前方に向けて搬送する路である。
【００１９】
入出金部１０は、投入排出口３の近傍に設けてある。この入出金部１０は、投入排出口３を通じて投入された紙幣を搬送路４に繰り出すとともに、搬送路４を通じて搬送された紙幣を、投入排出口３を通じて取り出させるものである。この入出金部１０の構成については後述する。
【００２０】
鑑別部３１は、搬送路４の近傍に設けてある。この鑑別部３１は、従来公知のものであり、搬送路４を前方から後方に向けて搬送される紙幣の真偽及び金種を鑑別するものである。この鑑別部３１での鑑別結果は、図示せぬ制御部に鑑別信号として与えられる。
【００２１】
判別部３３は、搬送路４の近傍に設けてある。この判別部３３は、従来公知のものであり、搬送路４を後方から前方に向けて搬送される紙幣の金種を判別するものである。この判別部３３での判別結果は、制御部に判別信号として与えられる。
【００２２】
収納部３４は、判別部３３よりも後方側において金種毎に設けてある。これら収納部３４は、鑑別部３１の鑑別結果に基づいて、自身に割り付けられた金種の紙幣を収納するものであり、また制御部から与えられる指令に基づいて収納した紙幣を搬送路４に繰り出すものである。
【００２３】
図２〜図４は、それぞれ図１に示した入出金部１０を示すものであり、図２は斜視図であり、図３は一部の構成要素を分解した分解斜視図であり、図４は内部構造を右側から見た断面右側面図である。上記入出金部１０は、入金庫１１、残置検知部２０及びカウント部２１を備えて構成してある。
【００２４】
入金庫１１は、前面下部に排出口１１ａ、上面に入出金口１１ｂ及び後面上部に侵入口１１ｃが形成された箱状の形態を成すものである。ここで入出金口１１ｂと侵入口１１ｃとは連続して形成してある。この入金庫１１は、左右両側板の下部に形成された軸部１２が左右一対の支持板６に形成された貫通孔（図示せず）を貫通して軸支されることにより、該軸部１２の中心軸を軸心として前後方向に沿って揺動可能に設けてある。また、入金庫１１の左右両側板の上部に形成された突起部１３は、上記支持板６の円弧状のガイド孔７を貫通している。
【００２５】
また、入金庫１１は、その内部が区画部材１４により第１領域１５ａと第２領域１５ｂとに区画されている。第１領域１５ａは、後方側の領域であり、前方側の領域である第２領域１５ｂよりも容積が大きい。尚、区画部材１４の下部には連通口１４ａが形成してあり、第１領域１５ａと第２領域１５ｂとの互いの下部が連通口１４ａを介して連通している。
【００２６】
かかる区画部材１４は、押圧部材１６を有している。押圧部材１６は、上端部が前後方向に沿って揺動可能に下端部が区画部材１４に支持された左右一対のもので、それぞれ押圧スプリング１６ａにより常時後方に向けて付勢されている。
【００２７】
このような構成を有する入金庫１１は、制御部から与えられる指令により、第１姿勢（第１待機姿勢）、第２姿勢（第２待機姿勢）、第３姿勢（第２受容姿勢）、第４姿勢（第１受容姿勢）及び第５姿勢（繰出姿勢）のいずれかとなる態様で前後方向に沿って揺動するものである。以下に各姿勢について説明する。
【００２８】
第１姿勢は、図４及び図５に示すように、最も前方側に揺動した姿勢である。この第１姿勢では、第１領域１５ａが入出金口１１ｂを通じて投入排出口３に連通している。
【００２９】
第２姿勢は、図６に示すように、第１姿勢よりも後方に向けて揺動した姿勢である。この第２姿勢では、第２領域１５ｂが入出金口１１ｂを通じて投入排出口３に連通している。
【００３０】
第３姿勢は、図７に示すように、第２姿勢よりも後方に向けて揺動した姿勢である。この第３姿勢では、搬送路４を通じて搬送された紙幣を、入出金口１１ｂを通じて第１領域１５ａに受容可能である。
【００３１】
第４姿勢は、図８に示すように、第３姿勢よりも後方に向けて揺動した姿勢である。この第４姿勢では、搬送路４を通じて搬送された紙幣を、入出金口１１ｂを通じて第２領域１５ｂに受容可能である。
【００３２】
第５姿勢は、図９に示すように、第４姿勢よりも後方に向けて揺動した姿勢、すなわち最も後方側に揺動した姿勢である。この第５姿勢では、侵入口１１ｃを通じて繰出手段１７が第１領域１５ａに侵入し、該繰出手段１７と押圧部材１６とで第１領域１５ａの内部の紙幣を挟み込むことができる。
【００３３】
この繰出手段１７について説明する。繰出手段１７は、第１繰出ローラ１７ａ及び第２繰出ローラ１７ｂを備えている。第１繰出ローラ１７ａは、最も下方側に設けてある。この第１繰出ローラ１７ａは、制御部から与えられる指令に応じて回転するもので、右側から見て時計回りの方向に回転する。
【００３４】
第２繰出ローラ１７ｂは、第１繰出ローラ１７ａの上方側に設けてある。この第２繰出ローラ１７ｂは、制御部から与えられる指令に応じて回転するもので、右側から見て時計回りの方向に回転する。この第２繰出ローラ１７ｂは、阻止ローラ１７ｃに接している。
【００３５】
尚、図中の符号１８は、切換部材である。切換部材１８は、制御部から与えられる指令に応じて、左右方向に沿って延在する軸状部（図示せず）の中心軸周りに後端部が上下方向に沿って揺動するものである。この切換部材１８は、紙幣を前方から後方に向けて搬送する場合には、上方に向けて揺動した上方姿勢となる一方（図４〜図６，図９参照）、紙幣を後方から前方に向けて搬送する場合には、下方に向けて揺動した下方姿勢（図７及び図８参照）となるものである。
【００３６】
残置検知部２０は、例えば光センサ等のようなものであり、入金庫１１の内部に紙幣が残存しているか否かを検知するものである。残置検知部２０での検知結果は、検知信号として制御部に与えられる。
【００３７】
カウント部２１は、繰出手段１７を通じて搬送路４に繰り出された紙幣の数を計測するものである。カウント部２１での計測結果は、カウント信号として制御部に与えられる。
【００３８】
上記蓋体５は、後端部が装置本体１に軸支されることで、投入排出口３を開閉する態様で揺動可能に設けてある。この蓋体５は、左右方向が長手方向となる長尺状部材であり、下方に向けて揺動することで投入排出口３を閉塞することができ、上方に向けて揺動することで投入排出口３を開放するものである。この蓋体５の内面には、複数の突部５ａが長手方向に直交する方向に沿って延在して形成され、それぞれが左右方向に所定間隔毎に形成してある。これら突部５ａは、蓋体５が投入排出口３を閉塞する場合に、第１姿勢となる入金庫１１の内部に侵入することが可能な突出高さを有している。
【００３９】
以上のような構成を有する紙葉類処理装置は、投入排出口３より投入された紙幣を次のようにして収納部３４に収納することができる。
【００４０】
図５に示すように蓋体５が上方に向けて揺動して投入排出口３が開放された状態で、該投入排出口３を通じて例えば複数枚の紙幣が投入されると、投入された紙幣は第１姿勢となる入金庫１１の第１領域１５ａに受容される。
【００４１】
その後に、図４に示すように、蓋体５が下方に向けて揺動して投入排出口３が閉塞される。この場合において、蓋体５の突部５ａは、該蓋体５が投入排出口３を閉塞することで、第１領域１５ａに侵入する。このように突部５ａが第１領域１５ａに侵入することで、投入排出口３を通じて投入された紙幣の一部が入金庫１１の入出金口１１ｂより該入金庫１１の外部にはみ出していた場合に、突部５ａが該紙幣に当接して下方に押圧することで、第１領域１５ａにて紙幣を揃えることができる。
【００４２】
そして、利用者により装置本体１の外部に設けられた図示せぬ入力手段が入力操作されて入金指令が与えられた場合、繰出手段１７及び搬送路４の構成要素が制御部から与えられる指令により駆動して、搬送路４では、紙幣を前方から後方に向けて搬送可能な状態になる。このとき、切換部材１８は上方姿勢となる。
【００４３】
このように繰出手段１７及び搬送路４の構成要素が駆動した後、入金庫１１は、制御部から与えられる指令により後方に揺動して、図９に示すような第５姿勢となる。
【００４４】
入金庫１１が第５姿勢になると、繰出手段１７の一部が侵入口１１ｃより第１領域１５ａに侵入することで、第１領域１５ａの紙幣は、第１繰出ローラ１７ａと押圧部材１６とに挟まれた状態となり、第１繰出ローラ１７ａが回転することで第１繰出ローラ１７ａに接していた最も後方の紙幣が、上方に移動し、その後に第２繰出ローラ１７ｂ及び阻止ローラ１７ｃに挟まれて移動し、搬送路４に繰り出される。
【００４５】
搬送路４に繰り出されたことがカウント部２１により計測されると、第１繰出ローラ１７ａは、制御部から与えられる指令により回転を停止する。これにより、搬送路４に紙幣が繰り出されることにより次に第１繰出ローラ１７ａに接する紙幣が上方に向けて移動することが規制される。
【００４６】
そして、搬送路４に繰り出された紙幣は、搬送路４を前方から後方に向けて搬送され、その途中で鑑別部３１により真贋及び金種が鑑別される。鑑別部３１により「真」と鑑別されるとともに金種が鑑別された紙幣は、金種毎に割り付けられた所定の収納部３４に収納される。
【００４７】
このように鑑別部３１により紙幣が「真」と鑑別されることで、第１繰出ローラ１７ａは、制御部から与えられる指令に応じて再び回転する。この第１繰出ローラ１７ａの回転により該第１繰出ローラ１７ａに接していた紙幣が搬送路４に繰り出されて、上述した処理が繰り返される。このような入金処理は、残置検知部２０が、紙幣が残存していないことを検知するまで繰り返し行われる。
【００４８】
このようにして投入排出口３より投入された紙幣がすべて所定の収納部３４に収納されると、その合計金額が制御部により装置本体１に設けられた図示せぬ表示部に表示され、繰出手段１７及び搬送路４の構成要素の駆動が停止して入金庫１１は、釣銭が発生する場合には第３姿勢となる一方、釣銭が発生しない場合には第１姿勢となる。
【００４９】
ところで、上記入金処理の途中において、鑑別部３１が搬送路４を搬送される紙幣を「偽」と鑑別した場合には、搬送路４の構成要素は、制御部から与えられる指令により一旦停止する。このとき、切換部材１８は下方姿勢となる。また、入金庫１１は、制御部から与えられる指令により前方に揺動して第４姿勢となる（図８参照）。
【００５０】
入金庫１１が第４姿勢となると、第１領域１５ａにある紙幣は、第１繰出ローラ１７ａと押圧部材１６とにより挟み込まれた状態から解放され、たとえ第１繰出ローラ１７ａが回転していたとしても該第１繰出ローラ１７ａの回転により上方に移動することはない。
【００５１】
そして、搬送路４の構成要素が制御部から与えられる指令により逆転駆動し、搬送路４が紙幣を後方から前方に向けて搬送可能な状態になると、鑑別部３１により「偽」と鑑別された紙幣が前方に向かって搬送され、阻止ローラ１７ｃの前方周縁を通過し、入出金口１１ｂを通じて第２領域１５ｂに受容される。
【００５２】
このように鑑別部３１により「偽」と鑑別された紙幣が第２領域１５ｂに受容されると、搬送路４は、制御部から与えられる指令により、紙幣を前方から後方に向けて搬送可能な状態になるとともに、切換部材１８は上方姿勢となり、さらに入金庫１１は、制御部から与えられる指令により後方に揺動して第５姿勢となって、上述した入金処理が繰り返される。
【００５３】
かかる入金処理により一部の紙幣が鑑別部３１により「偽」と鑑別された場合には、入金処理の終了後に、入金庫１１は、制御部から与えられる指令により前方に揺動して第２姿勢となる（図６参照）。
【００５４】
そして、蓋体５が上方に向けて揺動して投入排出口３が開放されることで、第２領域１５ｂにある紙幣が、入出金口１１ｂ及び投入排出口３を通じて外部に排出可能となり、利用者に対して返却することができる。
【００５５】
次に、上記紙葉類処理装置は、収納部３４に収納する紙幣を次のようにして排出することができる。
【００５６】
利用者により入力手段が入力操作されて出金指令が与えられた場合、繰出手段１７及び搬送路４の構成要素が制御部から与えられる指令により駆動して、搬送路４では、紙幣を後方から前方に向けて搬送可能な状態になる。このとき、切換部材１８は下方姿勢となる。
【００５７】
このように繰出手段１７及び搬送路４の構成要素が駆動した後、入金庫１１は、制御部から与えられる指令により、図７に示すような第３姿勢となる。
【００５８】
そして、所定の収納部３４に収納された紙幣が搬送路４に繰り出されると、該紙幣は前方に向かって搬送され、その途中で判別部３３により判別された後、阻止ローラ１７ｃの前方周縁を通過し、入出金口１１ｂを通じて第１領域１５ａに受容される。
【００５９】
このように収納部３４から繰り出された所定枚数の紙幣が第１領域１５ａに受容されると、繰出手段１７及び搬送路４の構成要素は、制御部から与えられる指令により駆動停止する。そして、入金庫１１は、前方に揺動して第１姿勢となる（図４参照）。そして、図５に示すように蓋体５が上方に向けて揺動して投入排出口３が開放されることで、第１領域１５ａにある紙幣が、入出金口１１ｂ及び投入排出口３を通じて外部に排出可能となり、収納部３４に収納する紙幣を排出することができる。
【００６０】
以上説明したように、本発明の実施の形態である紙葉類処理装置においては、入金庫１１が第１姿勢、第２姿勢、第３姿勢、第４姿勢及び第５姿勢のいずれかの姿勢となる態様で装置本体１の内部に揺動可能に設けられているので、投入排出口３を通じて投入された紙幣の入金処理及び所定の収納部３４に収納された紙幣の出金処理、あるいは鑑別部３１により「偽」と鑑別された紙幣を返却する際にも、入金庫１１の姿勢を変化させるだけでよく、搬送路４を共通化して利用することができる。従って、別個の搬送路を複数設けて複雑化する虞れがなく、搬送路４の単純化を実現できる。
【００６１】
従って、本発明の実施の形態である紙葉類処理装置によれば、装置全体の小型化を図ることができる。
【００６２】
特に、搬送路４を装置本体１の開口１ａの近傍において前後方向に沿って延在する態様で構成できるので、カバー２を揺動させることで、搬送路４を露出させることができ、メンテナンス作業を容易に行うことができる。
【００６３】
上記紙葉類処理装置によれば、蓋体５の突部５ａが第１姿勢となる入金庫１１の第１領域１５ａに侵入することで、第１領域１５ａにて紙幣を揃えることができるので、その後に搬送路４へ紙幣を繰り出す場合に、該搬送路４等において紙幣が詰まることを抑制することができる。
【００６４】
上記紙葉類処理装置によれば、投入排出口３が装置本体１の前端傾斜面１ｂに形成されているので、利用者は、装置本体１の前方側から紙幣の投入、あるいは紙幣の取り出しを容易に行うことができ、紙幣の投入性及び取出性の向上を図ることができる。
【００６５】
以上、本発明の好適な実施の形態について説明したが、本発明はこれに限定されるものではなく、種々の変更を行うことができる。
【００６６】
本発明においては、投入排出口３を開閉する蓋体５は、制御部から与えられる指令に応じて揺動するものであってもよい。これによれば、例えば入金庫１１が第５姿勢となって搬送路４に紙幣を繰り出す際に、投入排出口３より手指が侵入することを防止でき、該紙幣に触れられる虞れがない。
【００６７】
上述した実施の形態においては、蓋体５の突部５ａにより第１領域１５ａに投入された紙幣を揃えるようにしていたが、本発明においては、入金庫が、その内部に上下方向に沿って往復運動可能な当接部材を備えていてもよい。このような構成によれば、当接部材が上下方向に沿って往復運動することで内部に投入された紙幣を揃えることができる。
【符号の説明】
【００６８】
１  装置本体
１ｂ  前端傾斜面
３  投入排出口
４  搬送路
５  蓋体
５ａ  突部
１０  入出金部
１１  入金庫
１１ａ  排出口
１１ｂ  入出金口
１１ｃ  侵入口
１４  区画部材
１５ａ  第１領域
１５ｂ  第２領域
１６  押圧部材
１７  繰出手段
１７ａ  第１繰出ローラ
１７ｂ  第２繰出ローラ
１７ｃ  阻止ローラ
１８  切換部材
２０  残置検知部
２１  カウント部
３１  鑑別部（鑑別手段）
３２  回収部
３３  判別部
３４  収納部
【図１】
0006578869.tif 000002
【図２】
0006578869.tif 000003
【図３】
0006578869.tif 000004
【図４】
0006578869.tif 000005
【図５】
0006578869.tif 000006
【図６】
0006578869.tif 000007
【図７】
0006578869.tif 000008
【図８】
0006578869.tif 000009
【図９】
0006578869.tif 000010